(57)【特許請求の範囲】
【請求項１】
リード先端部を両側より各々突出させて複数本のコンタクトリードを並列に配置し前記突出されているリード先端部をそれぞれ回路基板に挿入して両側に前記回路基板が取り付けられる保持部材と、
前記コンタクトリードにそれぞれ対応している複数の孔を有し、前記リード先端部を対応している前記孔に各々通すことによって前記コンタクトリードにスライド自在に装着されている保護カバーと、
前記保護カバーと前記保持部材との間に、前記保護カバーを前記保護位置にロックしておく解除可能なロック手段と前記使用位置にロックしておく解除可能なロック手段とを備え、前記使用位置にロックしておく解除可能なロック手段は前記保持部材に設けられた係合凹所と前記保護カバーに弾性変形可能に一体に設けられた係止片に形成された第１のロック爪とからなり、前記保護カバーを前記保護位置にロックしておく解除可能なロック手段は前記保持部材に設けられた係合段部と前記保護カバーに弾性変形可能に一体に設けられた係止片に形成された第２のロック爪とからなることを特徴とするコネクタ。
【請求項２】
前記保持部材は位置決めピンを有し、前記保護カバーは前記位置決めピンに対応して上下に貫通しているガイド孔が設けられ、前記回路基板は前記位置決めピンと対応する位置に係合孔が設けられ、前記保護カバーは前記ガイド孔に前記位置決めピンをスライド自在に挿入させて前記保持部材に取り付けられ、前記回路基板は前記位置決めピンが前記係合孔に挿入されて実装されることを特徴とする請求項１記載のコネクタ。
【発明の詳細な説明】
【０００１】
【発明の属する技術分野】
本発明は、コネクタの端子を保護するコネクタに関する。さらに詳述すれば、プリント基板等の回路基板のスルーホールにコンタクトリードを挿入させて実装されるコネクタのリード端子（リード先端部）を保護するようにしたコネクタに関するものである。
【０００２】
【従来の技術】
図５は従来における基板用コネクタを用いた回路基板の一実装例を示す図である。図５において、この実装例では、基板用コネクタ５１（以下、単に「コネクタ５１」という）の両側に回路基板５２と回路基板５３をそれぞれ取り付けた構造になっている。
【０００３】
コネクタ５１は、保持部材５４と、この保持部材５４に保持されている複数本のコンタクトリード５５とで構成されている。保持部材５４は樹脂材で略平板状に形成されている。一方、複数本のコンタクトリード５５は、それぞれ導電材で同じ形をしたピン状に作られていて、これが２列に並んで各列複数本ずつ、また各コンタクトリード５５の両端部分となるリード先端部５５ａ，５５ｂを保持部材５４の両端側にそれぞれ突出させた状態にして、保持部材５４に略等間隔で配置されている。また、保持部材５４の一端５４ａ側には、弾性変形可能な一対の係止片５６が左右の位置に分かれて、その一端５４ａから真っ直ぐ前及び後側に向かって延長された状態にして一体に設けられている。なお、各係止片５６の先端には係止爪５７が形成されている。さらに、保持部材５４の他端５４ｂ側には、左右の位置に分かれて一対の位置決めピン５８が、他端５４ｂから真っ直ぐ前及び後側に向かって延長された状態にして一体に設けられている。
【０００４】
回路基板５２はプリント基板で、保持部材５４の係止片５６と対応する位置に係合孔５９が設けられているとともに、コンタクトリード５５のリード先端部５５ａに対応して複数のスルーホール６１が設けられている。そして、回路基板５２にコネクタ５１を結合（実装）させる場合は、まずスルーホール６０にコンタクトリード５５のリード先端部５５ａを対応させるとともに、係合孔５８に係止片５６を対応させて、コネクタ５１と回路基板５２とを互いに押し付ける。すると、係止片５６が内側に弾性変形されて撓みながら係合孔５９に挿入されるとともに、コンタクトリード５５のリード先端部５５ａがスルーホール６０内に挿入される。係止片５６の係止爪５６が回路基板５２を貫通し終わると、係止片５６が自己弾性復帰され、係止爪５６が回路基板５２の裏面側で係合孔５９の周縁に係合されて抜け止めされるとともに、回路基板５２の表面に保持部材５４の規制面５４ｃが当接されて位置決め保持される。これにより、コネクタ５１と回路基板５２の実装が完了する。
【０００５】
回路基板５３はプリント基板で、保持部材５４の位置決めピン５８と対応する位置に係合孔６１が設けられているとともに、コンタクトリード５５のリード先端部５５ｂに対応して複数のスルーホール６２が形成されている。そして、回路基板５３とコネクタ５１を結合（実装）させる場合は、まずスルーホール６２にコンタクトリード５５のリード先端部５５ｂを対応させるとともに係合孔６１に位置決めピン５８を対応させ、コネクタ５１と回路基板５３を互いに押し付ける。すると、位置決めピン５８が係合孔６１に挿入されるとともに、コンタクトリード５５のリード先端部５５ｂがスルーホール６２内に挿入され、これによりコネクタ５１と回路基板５３の実装が完了する。また、この後からは、スルーホール６２を通って回路基板５３上に突き出しているリード先端部５５ｂに電子部品６３が実装されて抜け止めされる。
【０００６】
したがって、このように構成された基板構成では、コネクタ５１を介して回路基板５２と回路基板５３を電気的に接続することができる。
【０００７】
【発明が解決しようとする課題】
しかしながら、上述した従来のコネクタ５１では、コンタクトリード５５のリード先端部５５ａ、５５ｂを保持部材５４の両端から単に露出させた状態にして取り扱っている。このため、コネクタ５１を輸送する途中や回路基板の組立作業時に、リード先端部５５ｂに外部衝撃を受けたような場合、例えば図６に示すように一部のリード先端部５５ｂが変形する場合も少なくない。このようにリード先端部５５ｂが変形した場合には、その変形を手作業で直しながら組み立てる必要があり、作業性が悪いという問題があった。
【０００８】
本発明はこのような問題を解決するためになされたもので、その目的は輸送時や組立作業中に、リード先端部が曲がって変形するのを防止することができるコネクタを提供するものである。また、本発明は組立前に曲がって変形したリード先端部分を簡単に矯正することができる構造にしたコネクタを提供するものである。
【０００９】
【課題を解決するための手段】
本発明は、リード先端部を両側より各々突出させて複数本のコンタクトリードを並列に配置し前記突出されているリード先端部をそれぞれ回路基板に挿入して両側に前記回路基板が取り付けられる保持部材と、前記コンタクトリードにそれぞれ対応している複数の孔を有し、前記リード先端部を対応している前記孔に各々通すことによって前記コンタクトリードにスライド自在に装着されている保護カバーと、前記保護カバーと前記保持部材との間に、前記保護カバーを前記保護位置にロックしておく解除可能なロック手段と前記使用位置にロックしておく解除可能なロック手段とを備え、前記使用位置にロックしておく解除可能なロック手段は前記保持部材に設けられた係合凹所と前記保護カバーに弾性変形可能に一体に設けられた係止片に形成された第１のロック爪とからなり、前記保護カバーを前記保護位置にロックしておく解除可能なロック手段は前記保持部材に設けられた係合段部と前記保護カバーに弾性変形可能に一体に設けられた係止片に形成された第２のロック爪とからなる構成を有している。この構成により、使用前（実装前）は保護カバーを保護位置に移動させておくと、リード先端部への外力は保護カバーを介して加わるのでリード先端部分が変形するのを防ぐことができる。反対に、使用（実装）するときには保護カバーを使用位置側に移動させると前記リード先端部を露出させて実装作業をすることができ、２つのロック手段のうちの一方のロック手段を選択することにより、保護カバーを保護位置と使用位置の何れかの位置に確実に保持しておくことができるとともに、コンタクトリードを変形させることなく、２つの回路基板との間を確実に電気接続することができる。
【００１１】
また、本発明は、前記保持部材は位置決めピンを有し、前記保護カバーは前記位置決めピンに対応して上下に貫通しているガイド孔が設けられ、前記回路基板は前記位置決めピンと対応する位置に係合孔が設けられ、前記保護カバーは前記ガイド孔に前記位置決めピンをスライド自在に挿入させて前記保持部材に取り付けられ、前記回路基板は前記位置決めピンが前記係合孔に挿入されて実装されることを特徴とする。
【００１２】
【発明の実施の形態】
本発明は、保持部材に、その保持部材の一端側からリード先端部を突出させて複数本のコンタクトリードを並列的に配置してなるコネクタにおいて、前記コンタクトリードにそれぞれ対応している複数の孔を有し、前記リード先端部を対応している前記孔に各々通すこによってて前記コンタクトリードにスライド自在に装着されている保護カバーを備え、前記保護カバーを、前記リード先端部の先端側で前記リード先端部分を保護することができる保護位置と、前記リード先端部の根元側で前記リード先端部分を露出させて使用可能にすることができる使用位置とに切り換えできるようにした構成を有している。この構成により、使用前（実装前）は保護カバーを保護位置に移動させておくと、リード先端部への外力は保護カバーを介して加わるのでリード先端部分が変形するのを防ぐことができる。反対に、使用（実装）するときには保護カバーを使用位置側に移動させると前記リード先端部を露出させて実装作業をすることができる。
また、前記保護カバーと前記保持部材との間に、前記保護カバーを前記保護位置にロックしておく解除可能なロック手段と前記使用位置にロックしておく解除可能なロック手段を設けた構成を有している。この構成により、２つのロック手段のうちの一方のロック手段を選択することにより、保護カバーを保護位置と使用位置の何れかの位置に確実に保持しておくことができる。
また、前記コンタクトリードの両端部分が前記保持部材を貫通して前記保持部材の両側より各々突出されていて、前記突出されているリード先端部をそれぞれ回路基板のスルーホールに挿入して前記保持部材の両側に前記回路基板を取り付けて使用される構成を有している。この構成により、コンタクトリードを変形させることなく、２つの回路基板との間を確実に電気接続することができる。
以下、本発明の実施の形態について、図面を用いて説明する。図１乃至図３は本発明の実施の形態における回路基板の実装構造を示すものである。図１乃至図３において、この実装例では、基板用コネクタ１（以下、単に「コネクタ１」という）を介して回路基板２と回路基板３をそれぞれ結線させた場合を一例としている。
【００１３】
コネクタ１は、保持部材４と、この保持部材４に取り付けられている複数本のコンタクトリード５と、保護カバー６で構成されている。
【００１４】
さらに詳述すると、保持部材４は、樹脂材で略平板状に形成されている。コンタクトリード５は導電金属材で細長いピン状に作られており、これが２列に並んで各列複数本ずつ、また各コンタクトリード５の両端部分となるリード先端部５ａ，５ｂを保持部材４の両端側にそれぞれ突出させた状態にして、保持部材４に略等間隔で配置されている。また、保持部材４の一端４ａ側には、弾性変形可能な一対の係止片７が左右の位置に分かれて、その一端４ａから真っ直ぐ前及び後側に向かって延長された状態にして一体に設けられている。なお、各係止片７の先端には係止爪８が形成されている。保持部材４の他端４ｂ側には、左右の位置に分かれて一対の位置決めピン９が、他端４ｂから真っ直ぐ前及び後側に向かって延長された状態にして一体に設けられている。さらに、保持部材４の表裏で、その左右両側の部分にはロック用の係合凹所１０が設けられているとともに、一端４ａと他端４ｂの両側には、その端部４ａ，４ｂをそれぞれ周回するようにしてロック用の係合段部１１が形成されている。
【００１５】
保護カバー６は樹脂材で作られており、保持部材４の一端４ａ側で、この部材と隣接してコネクタ１内に組み込まれる。なお、図１乃至図３では保護カバー６をコネクタ１に組み込んでいる状態で示しており、図４では保護カバー６だけを単品で示している。その保護カバー６の上下における端面の形状は、保持部材４の一端４ｂ側の端面の形状にほぼ等しく形成されている。また、保護カバー６の左右方向における両端部分には、位置決めピン９に対応して上下に貫通しているガイド孔１２が設けられ、左右のガイド孔１２の間にはコンタクトリード５と対応して複数のリード孔１３が設けられている。さらに、保護カバー６の表裏面側で、かつ左右両側に位置している部分には弾性変形可能な係止片１４が一体に設けられている。その係止片１４の内面には、ロック用の係合凹所１０と対応している第１のロック爪１４ａと、ロック用の係合段部１１と対応している第２のロック爪１４ｂが形成されている。なお、係合凹所１０と第１のロック爪１４ａは使用位置用のロック手段を構成しており、係合段部１１と第２のロック爪１４ｂは保護位置用のロック手段を構成している。そして、この保護カバー６は、ガイド孔１２に位置決めピン９をスライド自在に挿入させるとともに、リード孔１３にコンタクトリード５のリード先端部５ｂをスライド自在に挿入させて保持部材４に取り付けられている。
【００１６】
また、このようにして保持部材４に取り付けられた保護カバー６は、位置決めピン９及びリード先端部５ｂ上をそれぞれスライドして図中の上下方向に移動可能になっている。そして、保護カバー６が保持部材４の端面４ｃと接触した状態になる位置、すなわち保護カバー６が保持部材４側の根元部分に近づいた状態になる下側の位置（以下、この位置を「使用位置」という）に移動されると、第１のロック爪１４ａが係合凹所１０の縁に係合されてロックされる。この状態は図２及び図３に示している。この使用位置に保護カバー６が配置されている状態では、保護カバー６の上部にリード先端部５ｂが大きく突出されており、その突出されているリード先端部５ｂに回路基板２を取り付けることができる。これとは反対に、保護カバー６が保持部材４の端面より大きく離れて、コンタクトリード５のリード先端部５ｂの先端側の部分を覆った状態になる上側の位置（以下、この位置を「保護位置」という）に移動されると、第２のロック爪１４ｂが係合段部１１に係合されてロックされる。この状態は図１に示している。この保護位置に保護カバー６が配置されている状態では、リード先端部５ｂの先端部分を保護カバー６が覆った状態にあり、リード先端部５ｂへの外力は主として保護カバー６を介して付与されることになるので、リード先端部５ｂが変形されるのを防ぐことができる。
【００１７】
回路基板２はプリント基板で、保持部材４の係止片７と対応する位置に係合孔１５が設けられているとともに、コンタクトリード５のリード先端部５ａに対応して複数のスルーホール１６が形成されている。そして、回路基板２にコネクタ１を結合（実装）させる場合は、まずスルーホール１６にコンタクトリード５のリード先端部５ａを対応させるとともに、係合孔１５に係止片７を対応させ、コネクタ１と回路基板２を互いに押し付ける。すると、係止片７が内側に弾性変形されて撓みながら係合孔１５に挿入されるとともに、コンタクトリード５のリード先端部５ａがスルーホール１６内に挿入される。また、係止片７の係止爪８が回路基板２を貫通し終わると、係止片７が自己弾性復帰されて係止爪８が回路基板２の裏面側で係合孔１５の周縁に係合されて抜け止めされるとともに、回路基板２の表面に保持部材４の規制面４ｃが当接されて位置決め保持される。これにより、コネクタ１と回路基板２の実装が完了する。図１は、このようにして回路基板２とコネクタ１とが連結された状態を示している。
【００１８】
回路基板３はプリント基板で、保持部材４の位置決めピン９と対応する位置に係合孔１７が設けられているとともに、コンタクトリード５のリード先端部５ｂに対応して複数のスルーホール１８が形成されている。そして、回路基板３とコネクタ１を結合（実装）させる場合は、まずスルーホール１８にコンタクトリード５のリード先端部５ｂを対応させるとともに係合孔１７に位置決めピン９を対応させ、コネクタ１と回路基板３とを互いに押し付ける。すると、位置決めピン９が係合孔１７に挿入されるとともに、コンタクトリード５のリード先端部５ｂがスルーホール１８内に挿入され、これによりコネクタ１と回路基板３の実装が完了する。また、この後からは、スルーホール１８を通って回路基板３上に突き出しているリード先端部５ｂに電子部品１９が装着されて抜け止めされる。図１は、この状態を示している。
【００１９】
上述したように、本実施の形態における回路基板の実装構造では、回路基板２に組み込まれているコネクタ１は、他の工場から輸送されて来て回路基板２の組み込みが完了するまで、保護カバー６を保護位置に移動させて、第２のロック爪１４ｂが係合段部１１に係合ロックされている状態で取り扱われる。回路基板２とコネクタ１との組立接続（実装）が終了したら、第１のロック爪１４ａが係合凹所１０内に落ち込む位置までコネクタ１を下側に移動させ、リード先端部５ｂを保持部材４の上端から大きく表出させると、このリード先端部５ｂをスルーホール１８に挿入させることができる。すなわち、この構造では、コネクタ１と回路基板３との実装作業が完了するまで、リード先端部５ｂの姿勢を保護することができる。また、リード先端部５ｂが、万一、曲がって変形したような場合には、係止片１４を外側に弾性変形させると、第２のロック爪１４ｂを係合凹所１０から外してロック解除することができる。また、解除することにより、保護カバー６を「使用位置」と「保護位置」との間を繰り返し移動させることができ、このようにして保護カバー６をリード先端部５ｂ上でスライドさせて、リード孔１３内をリード先端部５ｂを動かすることにより、そのリード先端部５ｂの変形を簡単に矯正することができる。
【００２０】
なお、上記実施の形態の構造では、コネクタ１の両端に回路基板２と回路基板３を取り付けるようにした構造を開示したが、片側の回路基板３とだけ接続する構造として使用しても差し支えないものである。また、コネクタリード５の数は使用する回路によって色々な数のものが使用される。さらに、コネクタ１の両端側に保護カバー６を取り付けるようにしても差し支えものである。
【００２１】
【発明の効果】
以上説明したように、本発明に係るコネクタは、上記実施の形態より明らかなように、使用前（実装前）は保護カバーを保持部材より離れたリード先端部の先端側である保護位置に移動させておくと、リード先端部に外部から力が加わっても、その外部からの力は保護カバーを介して受けられるのでリード先端部分が変形するのを防ぐことができる。これにより、装着がスムースに行え、作業性を向上させることができ、２つのロック手段のうちの一方のロック手段を選択することにより、保護カバーを保護位置と使用位置の何れかの位置に確実に保持しておくことができるとともに、コンタクトリードを変形させることなく、２つの回路基板との間を確実に電気接続することができる。
【図面の簡単な説明】
【図１】本発明の実施の形態における回路基板の実装構造をコネクタを保護している状態で示している図
【図２】実施の形態における回路基板の実装構造をコネクタの両端側に回路基板を実装している状態で示している図
【図３】実施の形態における回路基板の実装構造をコネクタの保護を解除した状態で示している要部拡大斜視図
【図４】実施の形態における保護カバー単体で示す斜視図
【図５】従来の回路基板の実装構造を示す図
【図６】従来構造の問題を説明する図
【符号の説明】
１  コネクタ
２  回路基板
３  回路基板
４  保持部材
５  コンタクトリード
５ａ  リード先端部
６  保護カバー
７  係止片
８  係止爪
９  位置決めピン
１０  係合凹所
１１  係合段部
１２  ガイド孔
１３  リード孔
１４  係止片
１４ａ  第１のロック爪
１４ｂ  第２のロック爪
１５  係合孔
１６  スルーホール
１７  係合孔
１８  スルーホール
１９  電子部品
【図１】
0004159707.tif 000002
【図２】
0004159707.tif 000003
【図３】
0004159707.tif 000004
【図４】
0004159707.tif 000005
【図５】
0004159707.tif 000006
【図６】
0004159707.tif 000007